(57)【要約】  本発明に係るサイクロン式捕虫器は、主として捕虫容器、ファン及び蚊取り装置から構成される。捕虫容器は蚊取り装置が取り付けられる流動空間を有し、流動空間に空気流動方向を変更できる導流壁面が設けられており、吸風口と排風口を経由して外部に連通され得る。前記ファンが排風口に組み付けられるとともに、流動空間内部に位置する空気を外に吸引できることにより、流動空間外部に位置する空気が流動空間内部に入り、流動空間外部の空気が導流壁面に沿い流動空間のボトムに流れる螺旋気流を形成することができる。これにより、ファンが運転する場合、蚊は流動空間内に吸込まれることで、螺旋気流によって押されて蚊取り装置に移動し、さらに蚊取り装置で殺される。【選択図】図２
2020501614.tif 000002
【特許請求の範囲】
【請求項１】
吸風口と、高さ位置が前記吸風口よりも高い排風口とを有し、前記吸風口と前記排風口との間は捕虫容器内部に位置する流動空間を介して互いに連通され、前記流動空間が少なくとも１つの導流壁面を有する捕虫容器と、
前記排風口に組み付けられるとともに、前記流動空間の内部の空気を前記捕虫容器の外部に向けて吸引できることにより、前記捕虫容器の外部の空気が前記吸風口から前記流動空間に入ることができ、さらに外部空気が前記導流壁面に沿い前記流動空間のボトムに流れる螺旋気流を形成し、前記螺旋気流が前記流動空間の底部に外から内へ流れて、前記排風口に向かって流れる上昇気流に変え、前記上昇気流が前記螺旋気流にあるファンと、
前記捕蚊容器の流動空間に設けられ、蚊を前記流動空間内に制限するための蚊取り装置と、を備えることを特徴とする、サイクロン式捕虫器。
【請求項２】
前記排風口の開口方向が前記上昇気流と垂直になっていないことを特徴とする、請求項１に記載のサイクロン式捕虫器。
【請求項３】
前記上昇気流が前記排風口に流れる場合、前記ファンが前記上昇気流を前記上昇気流と交差する第１の排出気流に転換できることを特徴とする、請求項１に記載のサイクロン式捕虫器。
【請求項４】
前記流動空間が互いに隣接する５つ以上の前記導流壁面を有することで、前記流動空間の外観が５辺以上を有する多角多面体を呈することを特徴とする、請求項１に記載のサイクロン式捕虫器。
【請求項５】
前記流動空間が前記捕虫容器の頂部から底部に延びるテーパ構造、又は前記捕虫容器の頂部に垂直である平行柱体構造とされることを特徴とする、請求項１に記載のサイクロン式捕虫器。
【請求項６】
前記捕虫容器は、前記吸風口が設けられたケースと、前記ケースに選択的に着脱される蓋体とを有することを特徴とする、請求項１に記載のサイクロン式捕虫器。
【請求項７】
前記吸風口に組み付けられる組接ぎ開口と、開口方向が任意に横軸又は縦軸に向かう可動開口とを有する管体をさらに有することで、前記ファンが前記管体を介して任意の位置における蚊を吸引できることを特徴とする、請求項１に記載のサイクロン式捕虫器。
【請求項８】
前記管体が互いに嵌設される複数のパイプ材を有し、前記各パイプ材のそれぞれが他のパイプ材との相対的位置を選択的に変えることができることで、前記可動開口が前記組接ぎ開口に対して近接したり離間したりすることが可能であることを特徴とする、請求項７に記載のサイクロン式捕虫器。
【請求項９】
前記蚊取り装置が蚊を閉じ込むか又は粘着することができる粘着部品、又は即時に蚊を殺すことができる溶液及び電気鉄条網とされることを特徴とする、請求項１に記載のサイクロン式捕虫器。
【発明の詳細な説明】
【技術分野】
【０００１】
本発明は、捕虫器に関し、特にサイクロンを用いて蚊を捕まえて殺す捕虫器に関する。
【背景技術】
【０００２】
快適で清潔な生活環境は現代人が求めている目標であるが、現在の生活環境においては、蚊、蝿等のような、環境の綺麗さ及び人体の健康に有害である昆虫・生物を多く伴っている。なかでも、蝿は腐敗した食物を好きになり、腐敗した食物中の有害物質を別のものに付着させるため、病気を伝染する媒介者となり、さらにヒトに多くの伝染病をもたらす。これに対して、蚊はヒトを刺して血を吸うことで、人体の皮膚が赤く腫れ痒くなる現象となるだけでなく、更にデング熱、マラリア等の多くの疾患は蚊に媒介されて伝染し、さらに人々の生活安全を大きく脅している。
【０００３】
縞蚊がウイルスをヒトに伝染することを防止するために、現在、蠅叩き、蝿取り紙、殺虫剤及び蚊取り線香等のような、縞蚊を退治する商品が多く市販されている。しかし、蠅叩きと蝿取り紙による縞蚊を捕らえる方式では、縞蚊の死体が環境に現れることとなり、見た目が悪い上に、環境衛生にも影響する。なかでも、蝿取り紙が一定期間使用された後、空気中の埃と汚れが付着することで粘着性が低減され、縞蚊を捕まえる効果もさらに低減された。蝿取り紙により縞蚊を捕まえる効果の低減を防止するために、常に新しい蝿取り紙を入れ替える必要があり、さらに、常に蝿取り紙を交換することは、資源の無駄にもなる。また、殺虫剤と蚊取り線香は気体によって縞蚊を殺し、又は駆除する効果を奏するが、発生した気体が人体の健康にも悪影響を与え、さらに環境問題を引き起こすので、多くの業者が新しい蚊取り器具を研究開発している。
【０００４】
現在、通常の蚊取り器具は捕虫ランプと捕虫器である。なかでも、捕虫器は蚊の走光性を利用し、バルブの周囲に通電網層を設けることで、蚊がバルブに向かって飛び、通電網層に触れる場合、電流で蚊を感電させて退治する。このような蚊の退治方法は一定の効果があるが、蚊取りランプには電力の消費及び実用時に安全上の問題等の欠陥がある。捕虫器は、内部に餌及び蚊を速やかに殺すことができる液体を入れて、餌を介して蚊を捕虫器に入らせて、液体により蚊を殺すものであるが、実際に使用される場合、液体がこぼれて漏れやすく、さらに環境汚染と掃除上の面倒を引き起こす。
【発明の概要】
【０００５】
本発明の主な目的は、ファンが運転する場合、捕虫器内にサイクロンを発生できることで、蚊が渦によって蚊取り装置に送り込まれ、さらに蚊取り装置が蚊を殺すことができることにより、蚊を退治する効果を奏することである。
【０００６】
本発明の副次的な目的は、蚊が亡くなる前に、捕虫器の内部から捕虫器の外部へ飛び出ないように確保でき、さらに蚊がサイクロンで乾かされて亡くなるように確保できることである。
【０００７】
本発明の別の目的は、ファンが長期間に渡って運転する場合、ファンの羽根は過量な蚊と埃の堆積を防止でき、さらにファンの使用寿命を向上できることである。
【０００８】
前記目的を実現するために、本発明は、主として捕虫容器、ファン及び蚊取り装置から構成されるサイクロン式捕虫器に関する。前記捕虫容器は、吸風口と、高さ位置が前記吸風口と異なる排風口とを有し、前記吸風口と前記排風口との間は前記捕虫容器内部に位置する流動空間を介して互いに連通され、前記流動空間が少なくとも１つの導流壁面を有する。前記ファンは、前記排風口に組み付けられるとともに、前記流動空間の内部の空気を前記捕虫容器の外部に向けて吸引できることにより、前記捕虫容器の外部の空気が前記吸風口から前記流動空間に入ることができ、さらに外部空気が前記導流壁面に沿い前記流動空間のボトムに流れる螺旋気流を形成し、その後前記排風口から排出される。前記蚊取り装置は、前記捕蚊容器の流動空間に設けられ、蚊を前記流動空間内に制限する。
【０００９】
一つの好ましい実施の形態において、前記排風口の開口方向が前記上昇気流と垂直にいない。前記排風口の高さ位置が前記吸風口よりも高く、前記螺旋気流が前記流動空間の底部に外から内へ流れて、前記排風口に向かって流れる上昇気流に変え、前記上昇気流が前記螺旋気流の中央にある。かつ前記上昇気流が前記排風口に流れる場合、前記ファンが前記上昇気流を前記上昇気流と交差する第１の排出気流に転換できる。
【００１０】
別の好ましい実施の形態において、前記排風口は前記捕虫容器の前後左右側の４つの何れか一方に位置し、その高さ位置が前記吸風口よりも低いことで、前記螺旋気流が前記排風口に流れる場合、前記螺旋気流に接する第２の排出気流に転換する。
【００１１】
前記２つの実施の形態において、前記流動空間が互いに隣接する５つ以上の導流壁面を有することで、前記流動空間の外観が５辺以上を有する多角多面体を呈し、又は前記捕虫容器の頂部から底部に延びるテーパ構造、又は前記捕虫容器の頂部に垂直である平行柱体構造とされる。
【００１２】
前記２つの実施の形態において、前記蚊取り装置が蚊を閉じ込むか、又は粘着することができる粘着部品，又は即時に蚊を殺すことができる溶液又は電気鉄条網とされる。
【００１３】
なかでも、前記捕虫容器は、前記吸風口が設けられたケースと、前記ケースに選択的に着脱される蓋体とを有する。
【００１４】
別の好ましい実施の形態において、前記サイクロン式捕虫器は、前記吸風口に組み付けられる組接ぎ開口と、開口方向が任意に横軸又は縦軸に向かう可動開口とを有する管体をさらに有することで、前記ファンが前記管体を介して任意の位置における蚊を吸引できる。なかでも、前記管体が互いに嵌設される複数のパイプ材を有し、前記各パイプ材のそれぞれが他のパイプ材との相対的位置を選択的に変えることができることで、前記可動開口が前記組接ぎ開口に対して近接したり離間したりすることが可能である。
【００１５】
本発明は、ファンが運転する場合、流動空間内の空気を外に吸引できて、捕虫容器の外部の空気が導流壁面に沿い流れて、流動空間の底部へ流れる螺旋気流を形成することができることで、蚊が螺旋気流によって蚊取り装置に送り込まれ得、さらに蚊取り装置で殺されることが可能になることにより、蚊を退治する効果を有効に奏することができることを特徴とする。
【００１６】
なお、ファンが運転する場合、流動空間内に流動空間の底部へ流れる螺旋気流を形成することで、蚊を螺旋気流で流動空間の底部に閉じ込めることができ、さらに蚊が流動空間から捕虫容器の外部へ飛び出ることを防止できる。その上、蚊が螺旋気流で乾かされて亡くなることが可能であり、さらに蚊を退治する効果を有効に奏することができる。
【００１７】
なお、排風口の高さ位置が吸風口よりも高いとともに、ファンが排風口に組み付けられて、流動空間の内部の空気が排風口へ流れる上昇気流を形成し、さらに同時に流動空間内に下へ流れる螺旋気流を形成することができる。これにより、ファンが吸風口を経由して蚊と埃を流動空間に吸込み、螺旋気流を介して蚊と埃を流動空間のボトムに制限することができ、螺旋気流の遠心力によって、蚊と埃が上昇気流によってファンに移動されることはない。これにより、ファンが長期間に渡って運転する場合、ファンの羽根が過量な蚊と埃の堆積を防止し、さらにファンの使用寿命を向上することができる。
【図面の簡単な説明】
【００１８】
【図１】図１はサイクロン式捕虫器の第１の実施の形態における斜視図である。
【図２】図２は図１の分解図である。
【図３】図３は流動空間が五角柱状の態様を呈する模式図である。
【図４】図４は第１の実施の形態が具体的に応用される模式図である。
【図５】図５はサイクロン式捕虫器の第２の実施の形態における分解図である。
【図６】図６はサイクロン式捕虫器の第２の実施の形態における断面図である。
【図７】図７は第２の実施の形態が具体的に応用される模式図である。
【図８】図８はサイクロン式捕虫器の第３の実施の形態における斜視図である。
【図９】図９は第３の実施の形態において管体が収縮する模式図である。
【図１０】図１０はサイクロン式捕虫器の第４の実施の形態における分解図である。
【図１１】図１１は第４の実施の形態が具体的に応用される模式図である。
【発明を実施するための形態】
【００１９】
本発明の構造、使用及びその特徴がより明確で確実に分かるように、好ましい実施の態様を挙げて、図面を参照しながら下記の通りに詳述する。
【００２０】
図１及び図２を参照する。第１の実施の形態において、本発明に係るサイクロン式捕虫器１は、主として捕虫容器１０、ファン２０、誘引装置３０及び蚊取り装置４０から構成される。前記捕虫容器１０は互いに着脱可能なケース１１と、蓋体１２とを有する。前記ケース１１の先端がＺ軸に凹んで溝１３を形成し、前記溝１３がＹ軸に吸風口１４を開けて形成し、前記蓋体１２がＺ軸に排風口１５を貫通形成する。
【００２１】
この実施の形態において、前記ケース１１と蓋体１２とが螺着により互いに組み付けられる。前記ケース１１と蓋体１２とが互いに組み付けられる場合、前記蓋体１２が前記ケース１１の溝１３に被覆されて、前記捕虫容器１０の内部に、前記吸風口１４と排風口１５に連通される流動空間１６を形成し、さらに前記吸風口１４が前記流動空間１６を介して前記排風口１５に連通される。図面に示すように、前記吸風口１４の開口方向がＹ軸に平行であり、前記排風口１５の開口方向がＺ軸に平行であるが、前記吸風口１４の開口方向がＹ軸に平行であることは、説明の便宜上のものであり、即ち前記吸風口１４の開口方向がＸ軸に平行であってもよい。同様に、前記排風口１５の開口方向がＺ軸に平行であることは、説明の便宜上のものであり、即ち前記排風口１５の開口方向がＺ軸に対して斜めになってもよい。
【００２２】
前記流動空間１６の内部に環状を呈する導流壁面１６１（又は互いに隣接する無限の導流壁面１６１）を有することで、前記流動空間１６の外観が円多面体（又は無限面体）の態様を呈する。なかでも、前記流動空間１６は環状を呈する導流壁面１６１（又は互いに隣接する無限の導流壁面１６１）を有することは、説明の便宜上のものである。即ち、図３に示すように、前記流動空間１６は互いに隣接する５つの導流壁面１６１を有してもよいことで、前記流動空間１６の外観が五面体を呈する。しかし、前記導流壁面１６１の数は、５つから６つ、７つ、８つ、さらにより多くの導流壁面１６１に調整してもよい。前記流動空間１６の外観が六面体、七面体、八面体又は無限面体を呈する。図面に示すように、前記流動空間１６が前記捕虫容器１０の頂部に垂直である平行柱体構造とされる。
【００２３】
図１及び図２をさらに参照する。前記ファン２０が前記捕虫容器１０の排風口１５に組み付けられ、前記誘引装置３０が前記捕虫容器１０の吸風口１４に組み付けられる。また、前記蚊取り装置４０が前記捕虫容器１０の流動空間１６に位置する。好ましい実施の形態において、前記誘引装置３０が光源を前記吸風口１４に向かって投射できる発光部材３１とされる。前記蚊取り装置４０が前記導流壁面１６１に接続される粘着部品４１とされる。前記粘着部品４１は蚊を粘着するか又は閉じ込め、さらに蚊を前記流動空間１６の内部に制限するためのものである。
【００２４】
図４を参照する。具体的に応用される場合、前記ファン２０が電源供給器（図示せず）により回転することで、前記流動空間１６の外部に位置する空気は前記吸風口１４を経由して前記流動空間１６の内部に入ることができ、かつ前記流動空間１６の外部に位置する空気は順番に前記導流壁面１６１に沿い流れて前記流動空間１６の底部へ流れる螺旋気流Ａを形成する。前記螺旋気流Ａは、前記流動空間１６の底部に触れる場合、前記流動空間１６の底部に外から内へ流れて、前記螺旋気流Ａの中央に位置する上昇気流Ｂに転換して形成される。これにより、前記螺旋気流Ａが前記上昇気流Ｂを取り囲み、前記上昇気流ＢがＺ軸に平行であり、前記流動空間１６の内部に位置する空気を前記排風口１５に向けて流動させることができることで、前記流動空間１６の内部に位置する空気が内から外へ排出される。なかでも、前記上昇気流Ｂは、前記排風口１５に流れる場合、前記ファン２０に突き当たり、前記ファン２０が前記上昇気流Ｂを前記上昇気流Ｂと交差する第１の排出気流Ｃに転換することができる。図面に示すように、前記排風口１５の開口方向が前記上昇気流Ｂと垂直になることができず、前記第１の排出気流ＣがＺ軸と垂直になる。この実施の形態において、前記第１の排出気流Ｃは前記Ｚ軸と平行になることができない。
【００２５】
同時に、前記発光部材３１が光源を前記吸風口１４に向かって投射できるように前記発光部材３１を点灯させ、さらに蚊が前記吸風口１４へ飛ぶように引き付けられる。蚊が前記吸風口１４へ飛ぶ場合、前記流動空間１６に吸込まれ、前記螺旋気流Ａにより押されて前記流動空間１６の底部に移動する。なかでも、蚊は前記螺旋気流Ａにより押されて移動する過程において、前記粘着部品４１に触れると、前記粘着部品４１に粘着されて行動が制限される。また、前記粘着部品４１に粘着されていない蚊は、前記流動空間１６の底部に前記螺旋気流Ａで乾かされて亡くなることとなる。
【００２６】
なお、前記粘着部品４１に粘着されていない蚊は、前記螺旋気流Ａの遠心力により前記流動空間１６の底部に制限され、さらに前記上昇気流Ｂによって押されて前記排風口１５に移動することはない。これにより、前記ファン２０は、長期間に渡って運転する場合、過量な蚊又は埃の堆積を防止し、さらに前記ファン２０の使用寿命を向上することができる。
【００２７】
図５及び図６を参照する。第２の実施の形態において、第１の実施の形態との相違点は、前記サイクロン式捕虫器１が、管体５０をさらに有することで、主として前記捕虫容器１０、ファン２０、誘引装置３０、蚊取り装置４０及び管体５０から構成されることである。なかでも、前記捕虫容器１０と蚊取り装置４０との両者が第１の実施の形態と異なるので、この実施の形態において、前記捕虫容器１０、蚊取り装置４０及び管体５０のみについて説明するが、同じ部材（ファン２０と誘引装置３０）の説明は省略する。
【００２８】
図面に示すように、前記捕虫容器１０の流動空間１６は上方が広く下方が狭いというテーパ構造となり、前記蚊取り装置４０を即時に蚊を殺すことができる溶液４２とするが、前記溶液４２を薬剤又は水としてもよい。しかし、前記蚊取り装置４０を溶液４２とすることは、説明の便宜上のものであり、即ち前記蚊取り装置４０が、同様に即時に蚊を殺す効果を奏する電気鉄条網であってもよい。また、前記管体５０の一部の領域が可撓性の材質から構成され、前記吸風口１４に組み付けられる組接ぎ開口５１と、開口方向が任意に横軸又は縦軸に向かう可動開口５２とを有する。
【００２９】
図７を参照する。具体的に応用される場合、前記ファン２０が回転し、前記捕虫容器１０の外部空気がまず、前記管体５０の可動開口５２から前記流動空間１６に流れ込んで前記螺旋気流Ａを形成し、かつ前記流動空間１６の外観形状がテーパ状の態様を呈するため、前記螺旋気流Ａの流動速度を速めることで、蚊が前記螺旋気流Ａによって押されて前記流動空間１６の底部に速やかに移動することができ、さらに蚊が前記溶液４２に触れて亡くなることが可能である。なお、前記管体５０の一部の領域が可撓性の材質から構成されることで、前記可動開口５２が自由に移動することができ、さらに前記可動開口５２の開口方向が適宜Ｘ軸、Ｙ軸又はＺ軸に向かうことができるので、前記管体５０の可動開口５２は任意の位置における蚊に能動的に近接し蚊を吸引する効果を奏することができる。
【００３０】
しかし、前記流動空間１６が上方が広く下方が狭いというテーパ構造となることで前記螺旋気流Ａの流動速度を速める以外に、前記吸風口１４の開口体積を小さくして前記螺旋気流Ａの速度を速める効果を奏することもできる。
【００３１】
図８を参照する。第３の実施の形態において、第２の実施の形態との相違点は、前記管体５０である。前記捕虫容器１０、ファン２０、誘引装置３０及び蚊取り装置４０の４者の構造態様が第２の実施の形態と同様であるので、重複する説明は省略する。
【００３２】
図８及び図９を参照する。前記管体５０は複数のパイプ材５３を有し、前記複数のパイプ材５３が互いに嵌設される。パイプ材５３のそれぞれは、他の前記パイプ材５３に対して変位できるので、他のパイプ材５３との相対的位置を選択的に変更することができ、さらに前記管体５０の可動開口５２が前記管体５０の組接ぎ開口５１に対して近接したり離間したりすることが可能である。なかでも、前記管体５０の可動開口５２が前記管体５０の組接ぎ開口５１に近接する場合、前記管体５０の体積を小さくすることができる。それにより、前記サイクロン式捕虫器１を容易に収納することができる。
【００３３】
なお、前記複数のパイプ材５３が互いに嵌設される場合、前記パイプ材５３とパイプ材５３との間に隙間を開けておくことで、前記可動開口５２の開口方向が前記パイプ材５３とパイプ材５３との間の隙間を介してＸ軸、Ｙ軸又はＺ軸に向かうことができる。
【００３４】
図１０を参照する。第４の実施の形態において、第１の実施の形態との相違点は、前記捕虫容器１０である。前記ファン２０、誘引装置３０及び蚊取り装置４０の３者の構造態様が第２の実施の形態と同様であるので、重複する説明は省略する。
【００３５】
図面に示すように、前記排風口１５が前記ケース１１の左側面に形成され、かつ前記排風口１５の高さ位置が前記吸風口１４よりも低い。しかし、前記排風口１５が前記ケース１１の左側面に形成されることは、説明の便宜上のものであり、即ち前記排風口１５が前記ケース１１の前側面、後側面及び右側面の３者の何れか一方に形成されてもよい。なかでも、前記排風口１５に網体６０が組み付けられている。
【００３６】
図１１を参照する。具体的に応用される場合、前記ファン２０が回転し、前記捕虫容器１０の外部の空気が前記吸風口１４を経由して前記流動空間１６に流れ込んで前記螺旋気流Ａを形成する。前記螺旋気流Ａが前記排風口１５に流れる場合、前記螺旋気流Ａが前記螺旋気流Ａに接する第２の排出気流Ｄに転換する。前記第２の排出気流Ｄは、Ｙ軸に平行であることにより、蚊を前記網体６０内に送り込むことができるので、前記網体６０内に位置する蚊が前記第２の排出気流Ｄで乾かされて亡くなることとなる。
【００３７】
以上に挙げられた実施の態様は本発明の説明の便宜上のものに過ぎず、それを制限するものではない。本発明の趣旨を逸脱しない範囲で、当業者が本発明の特許請求の範囲及び明細書に基づき為された種々の簡単な変形と修正は、全て以下の特許請求の範囲に含まれるものとする。
【符号の説明】
【００３８】
１    サイクロン式捕虫器
１０    捕虫容器
１１    ケース
１２    蓋体
１３    溝
１４    吸風口
１５    排風口
１６    流動空間
１６１    導流壁面
２０    ファン
３０    誘引装置
３１    発光部材
４０    蚊取り装置
４１    粘着部品
４２    溶液
５０    管体
５１    組接ぎ開口
５２    可動開口
５３    パイプ材
６０    網体
Ａ    螺旋気流
Ｂ    上昇気流
Ｃ    第１の排出気流
Ｄ    第２の排出気流
【図１】
2020501614.tif 000003
【図２】
2020501614.tif 000004
【図３】
2020501614.tif 000005
【図４】
2020501614.tif 000006
【図５】
2020501614.tif 000007
【図６】
2020501614.tif 000008
【図７】
2020501614.tif 000009
【図８】
2020501614.tif 000010
【図９】
2020501614.tif 000011
【図１０】
2020501614.tif 000012
【図１１】
2020501614.tif 000013
【国際調査報告】
2020501614.tif 000014
2020501614.tif 000015
2020501614.tif 000016
2020501614.tif 000017